(57)【特許請求の範囲】
【請求項１】
相互に突き合わせた第一、第二の連結板をカバー内に収容してなるベースと、
前記第一の連結板に支持された第一のリング構成部材及び前記第二の連結板に支持された第二のリング構成部材をそれぞれ備えてなる複数の綴じリングとを具備してなり、開位置にあるこれら綴じリングのうちの一の綴じリングに加えられる閉方向の操作力により他の綴じリングをも閉じることができるようにした綴じ具であって、
前記各綴じリングは、前記カバーに設けられた弾性付勢手段により開方向に付勢されているとともにその付勢力に抗して閉じられた状態で前記第一、第二のリング構成部材の先端に設けられた係合部同士が係合して閉位置に保持されるものであり、
前記各綴じリングにおける前記第一のリング構成部材の基端部は、前記第一の連結板に支持される部分の上面に対してそれぞれ略同じ角度で取り付けられているとともに、前記各綴じリングにおける前記第二のリング構成部材の基端部は、前記第二の連結板に支持される部分の上面に対してそれぞれ略同じ角度で取り付けられており、
前記第一、第二の連結板の一方又は両方がねじり変形されたものであり、前記第一、第二の連結板における前記他の綴じリングの前記第一、第二のリング構成部材を支持している部分の一方又は両方の上面が、前記第一、第二の連結板における前記一の綴じリングの第一、第二のリング構成部材を支持している部分の上面よりも内側を向くように形成されており、前記開位置において、前記他の綴じリングにおける第一のリング構成部材の先端部と第二のリング構成部材の先端部との離間距離が、前記一の綴じリングにおける第一のリング構成部材の先端部と第二のリング構成部材の先端部との離間距離よりも短く設定されていることを特徴とする綴じ具。
【請求項２】
前記第一、第二の連結板が金属製のものである請求項１記載の綴じ具。
【請求項３】
前記第一、第二の連結板の両方がねじり変形されたものである請求項１又は２何れか記載の綴じ具。
【請求項４】
前記弾性付勢手段が、前記カバーの両側縁部における前記一の綴じリング付近に位置する部位を前記連結板の下面に弾性的に圧接させたものである請求項１、２又は３何れか記載の綴じ具。
【請求項５】
表紙に、前記請求項１、２、３又は４何れか記載の綴じ具を備えてなるファイル。
【請求項６】
上縁と下縁とが特定されることにより使用方向が明確に設定された表紙に前記請求項１、２、３又は４何れか記載の綴じ具を、一の綴じリングが他の綴じリングよりも前記下縁側に位置するように取付けたことを特徴とするファイル。
【発明の詳細な説明】
【技術分野】
【０００１】
本発明は、書類等を綴じるための綴じ具及びその綴じ具が適用されたファイルに関する。
【背景技術】
【０００２】
従来、この種の綴じ具として、相互に突き合わせた第一、第二の連結板をカバー内に収容してなるベースと、前記第一の連結板に支持された第一のリング構成部材及び前記第二の連結板に支持された第二のリング構成部材をそれぞれ備えてなる一対の綴じリングとを具備してなるものが知られている（例えば特許文献１参照）。
【０００３】
かかる綴じ具における綴じリングは、対をなす綴じリング間に配設した板バネ等によって均等な力で開方向に弾性付勢されている。そして、この弾性付勢力に抗して開位置にある綴じリングを閉じる方向に操作することによって各綴じリングの第一のリング構成部材と第二のリング構成部材の先端に設けられた係合部同士が係合してそれら綴じリングが閉位置に保持されるようになっている。
【０００４】
すなわち、前記両綴じリングにおける各第一のリング構成部材の先端には外向きの係合部が設けられているとともに、第二のリング構成部材の先端には内向きの係合部が設けられており、前記両方の綴じリングを閉じる方向にそれぞれ操作して前記第一のリング構成部材と第二のリング構成部材の先端同士を突き合わせることにより前記外向きの係合部と内向きの係合部とが部材の弾性変形を利用して係合し、それら両綴じリングが閉位置に保持されるようになっている。また、前記外向きの係合部を有した第一のリング構成部材同士を相寄る方向に弾性変位させることにより、それら係合部同士の係合を解除することができるようになっている。
【０００５】
ところで、このような構成のものにおいては、一方の綴じリングにのみに閉じ方向の操作力を付与することによって、他方の綴じリングをも同時に閉じようと試みることも少なくない。しかしながら、このような使い方をすると同操作力が他方の綴じリングに確実に伝わらないことがあり、他方の綴じリングの係合部同士が適切に係合しないこともあるという不具合がある。
【先行技術文献】
【特許文献】
【０００６】
【特許文献１】特許第４２４４８８４号公報
【発明の概要】
【発明が解決しようとする課題】
【０００７】
本発明は、以上のような事情に着目してなされたもので、一の綴じリングだけを操作しても他の綴じリングの係合部同士をも係合させることができる綴じ具及びその綴じ具を備えたファイルを提供することにある。
【課題を解決するための手段】
【０００８】
すなわち、本発明は次の構成をなすものである。
【０００９】
請求項１に係る構成は、相互に突き合わせた第一、第二の連結板をカバー内に収容してなるベースと、前記第一の連結板に支持された第一のリング構成部材及び前記第二の連結板に支持された第二のリング構成部材をそれぞれ備えてなる複数の綴じリングとを具備してなり、開位置にあるこれら綴じリングのうちの一の綴じリングに加えられる閉方向の操作力により他の綴じリングをも閉じることができるようにした綴じ具であって、前記各綴じリングは、前記カバーに設けられた弾性付勢手段により開方向に付勢されているとともにその付勢力に抗して閉じられた状態で前記第一、第二のリング構成部材の先端に設けられた係合部同士が係合して閉位置に保持されるものであり、前記各綴じリングにおける前記第一のリング構成部材の基端部は、前記第一の連結板に支持される部分の上面に対してそれぞれ略同じ角度で取り付けられているとともに、前記各綴じリングにおける前記第二のリング構成部材の基端部は、前記第二の連結板に支持される部分の上面に対してそれぞれ略同じ角度で取り付けられており、前記第一、第二の連結板の一方又は両方がねじり変形されたものであり、前記第一、第二の連結板における前記他の綴じリングの前記第一、第二のリング構成部材を支持している部分の一方又は両方の上面が、前記第一、第二の連結板における前記一の綴じリングの第一、第二のリング構成部材を支持している部分の上面よりも内側を向くように形成されており、前記開位置において、前記他の綴じリングにおける第一のリング構成部材の先端部と第二のリング構成部材の先端部との離間距離が、前記一の綴じリングにおける第一のリング構成部材の先端部と第二のリング構成部材の先端部との離間距離よりも短く設定されているものである。
【００１０】
請求項２に係る構成は、請求項１記載の構成において、前記第一、第二の連結板が金属製のものである。
【００１１】
請求項３に係る構成は、請求項１又は２何れか記載の構成において、前記第一、第二の連結板の両方がねじり変形されたものである。
【００１３】
請求項４に係る構成は、請求項１、２又は３何れか記載の構成において、前記弾性付勢手段が、前記カバーの両側縁部における前記一の綴じリング付近に位置する部位を前記連結板の下面に弾性的に圧接させたものである。
【００１４】
請求項５に係る構成は、表紙に、前記請求項１、２、３又は４何れか記載の綴じ具を備えてなるファイルである。
【００１５】
請求項６に係る構成は、上縁と下縁とが特定されることにより使用方向が明確に設定された表紙に前記請求項１、２、３又は４何れか記載の綴じ具を、一の綴じリングが他の綴じリングよりも前記下縁側に位置するように取付けたことを特徴とするファイルである。
【００１６】
ここで「使用方向」とは、利用者・使用者からみた使用方向を意味する。また、「手前」とは、利用者・使用者からみた概念である。
【発明の効果】
【００１７】
以上説明したように本発明によれば、一の綴じリングだけを操作しても他の綴じリングの係合部同士を係合させることができるものとなる。
【図面の簡単な説明】
【００１８】
【図１】本発明の一実施形態を示す斜視図。
【図２】同実施形態における綴じ具の平面図。
【図３】図２におけるＸ−Ｘ線断面図。
【図４】図２におけるＹ−Ｙ線断面図。
【図５】同実施形態における綴じ具の平面図。
【図６】図５におけるＡ矢視図。
【図７】図６におけるＢ矢視図。
【図８】図５におけるＶ−Ｖ線断面図。
【図９】図５におけるＷ−Ｗ線断面図。
【図１０】第一の連結板及び第一のリング構成部材を示す正面図。
【図１１】図１０におけるＣ矢視図。
【図１２】図１１におけるＤ矢視図。
【図１３】第二の連結板及び第二のリング構成部材を示す正面図。
【図１４】図１３におけるＥ矢視図。
【図１５】図１４におけるＦ矢視図。
【図１６】本実施形態における作用説明図。
【図１７】本実施形態における作用説明図。
【発明を実施するための形態】
【００１９】
以下、本発明の一実施形態を、図１〜図１７を参照して説明する。
【００２０】
本実施形態は、本発明をファイルＦ及びそのファイルＦの裏表紙Ｈ３に取付けられた綴じ具Ｇに適用した場合のものである。
【００２１】
ファイルＦは、表表紙Ｈ１、背表紙Ｈ２及び裏表紙Ｈ３とを有した表紙Ｈを備えたものである。このファイルＦは表紙Ｈに施された図示しない印刷やシール等によりその使用方向が明確に設定されている。
【００２２】
綴じ具Ｇは、相互に突き合わせた第一、第二の連結板１１、１２をカバー１３内に収容してなるベース１と、第一の連結板１１に支持された第一のリング構成部材３１、５１及び第二の連結板１２に支持された第二のリング構成部材３２、５２をそれぞれ備えてなる複数すなわち２つの綴じリング３、５とを具備してなり、これら綴じリング３、５のうちの一の綴じリング３に加えられる閉方向の操作力により他の綴じリング５をも閉じることができるようにしたものである。
【００２３】
換言すれば、本実施形態における綴じ具Ｇは、一の綴じリング３と他の綴じリング５の２つの綴じリング３、５によって主として２穴の用紙（図示せず）を綴じることができるようにしたものである。以下、各部について説明する。
【００２４】
ベース１は、薄肉ステンレス材等により作られたカバー１３と、このカバー１３の内部に収容された第一、第二の連結板１１、１２とを具備してなる。
【００２５】
カバー１３は、長手方向両端部に表紙Ｈに取り付けるための取付孔１３１を有したもので、内部に相互に突き合わせた第一、第二の連結板１１、１２を反転可能に収容するための空間ｓを形成しうる形状、具体的には横断面において略扁平アーチ状をなしている。カバー１３の両側縁部１３２は、内部に収容した第一、第二の連結板１１、１２が離脱しないように内方に折り返されている。すなわち、内縁部１１１、１２１同士を相互に突き合わせた第一の連結板１１と第二の連結板１２とが、カバー１の両内側面１３３間に突っ張った状態で収容されており、このカバー１の弾性変形を利用して、第一、第二の連結板１１、１２が、図８及び図９に示すように綴じリング３、５が閉じた状態の姿勢である下方突出姿勢（Ｋ）と、図３及び図４に示すように綴じリング３、５が開いた状態の姿勢である上方突出姿勢（Ｊ）との間で反転動作し得るようになっている。
【００２６】
なお、第一、第二の連結板１１、１２の内縁部すなわち突き合わせ端縁１１１、１２１には噛み合わせ用の突起ｔ１、ｔ２、ｔ３、ｔ４が設けられている。この実施形態においては、一の綴じリング３付近における第一の連結板１１の端縁１１１に突設された突起ｔ１と第二の連結板１２の端縁１２１に突設された突起ｔ２とによって二つの連結板１１、１２の厚み方向の位置ずれを規制し、両連結板１１、１２の噛み合わせを確保している。また、他の綴じリング５付近における第一の連結板１１の端縁１１１に突設された突起ｔ３と第二の連結板１２の端縁１２１に突設された突起ｔ４とによっても両連結板１１、１２の噛み合わせを確保している。一の綴じリング３付近における両突起ｔ１、ｔ２間、及び、他の綴じリング５付近における両突起ｔ３、ｔ４間は、両連結板１１、１２の長手方向に離間させて設けてあり、綴じリング３、５における第一、第二のリング構成部材３１、３２、５１、５２の係合部３１１、３２１、５１１、５２１同士の係合動作に必要な両連結板１１、１２のたわみを許容している。
【００２７】
また、この実施形態においては、各綴じリング３、５は、カバー１３にあり、一の綴じリング３付近に設けられた弾性付勢手段Ｄにより開方向に付勢されている。具体的には、カバー１３の両側縁部１３２における一の綴じリング３付近に位置する部位（図７にて網掛けする部位であり、以下当該部位を「弾性付勢部」という。）を第一、第二の連結板１１、１２の下面１１２、１２２に弾性的に圧接させており、この弾性付勢部Ｄの弾性圧接力により両連結板１１、１２を上方に弾性付勢、より具体的には第一の連結板１１の内縁部１１１側と第二の連結板１２の内縁部１２１側を上方に向けて弾性付勢している。
【００２８】
カバー１３における綴じリング３、５に対応する位置には、リング挿通窓１３４と第一、第二の連結板１１、１２の上動を所定位置で係止する係止部１３５が設けられている。
【００２９】
第一の連結板１１は、一端部で一の綴じリング３の第一のリング構成部材３１を支持するとともに他端部で他の綴じリング５の第一のリング構成部材５１を支持するもので、具体的には概ね短冊状をなしている。この第一の連結板１１は金属製のものである。この第一の連結板１１は、プレス等の適宜の方法によりねじり変形されている。より具体的に言えば、第一の連結板１１がねじり変形されていることにより、第一の連結板１１における他の綴じリング５の第一のリング構成部材５１を支持している部分Ｐ２近傍の上面１１ｂが、一の綴じリング３の第一のリング構成部材３１を支持している部分Ｐ１近傍の上面１１ａよりも内側を向くように形成されている。すなわち、第一の連結板１１がねじり変形されたものであるため、図１０に示すように、第一の連結板１１における第一のリング構成部材３１を支持している部分Ｐ１近傍の仮想中心線ｃ１と、第一の連結板１１における第一のリング構成部材５１を支持している部分Ｐ２近傍の仮想中心線ｃ２とが正面視において交差するように設定されている。なお、各仮想中心線ｃ１、ｃ２は、第一の連結板１１における支持部分Ｐ１、Ｐ２の厚み方向中央部分を示している。本実施形態においては、各仮想中心線ｃ１、ｃ２の交差する角度αは約５度に設定されている。
【００３０】
第一の連結板１１は、図７、図１１及び図１２において、二点鎖線で示されている部分が折曲変形されており（以下、当該部分を「折曲部分」という）、全体としてねじれ形状をなしている。この折曲部分は、内縁部１１１から外側縁１１３側に斜め方向に延びる第一の折曲部分ｆ１とこの第一の折曲部分ｆ１と連続して外側縁１１３の内側に外側縁１１３と略平行に延びて一方の側端縁にまで至る第二の折曲部分ｆ２とを主体に構成されている。換言すれば、第一の連結板１１は、第一の折曲部分ｆ１と第二の折曲部分ｆ２を境界にして、一方側の上面が向く方向と他方側の上面の向く方向とを異ならせている。
【００３１】
第二の連結板１２は、一端部で一の綴じリング３の第二のリング構成部材３２を支持するとともに他端部で他の綴じリング５の第二のリング構成部材５２を支持するもので、具体的には概ね短冊状をなしている。この第二の連結板１２は金属製のものである。この第二の連結板１２は、プレス等の適宜の手段によりねじり変形されている。より具体的に言えば、第二の連結板１２がねじり変形されていることにより、第二の連結板１２における他の綴じリング５の第二のリング構成部材５２を支持している部分Ｐ４近傍の上面１２ｂが、一の綴じリング３の第二のリング構成部材３２を支持している部分Ｐ３近傍の上面１２ａよりも内側を向くように形成されている。すなわち、第二の連結板１２がねじり変形されたものであるため、図１３に示すように、第二の連結板１２における第二のリング構成部材３２を支持している部分Ｐ３近傍の仮想中心線ｃ３と、第二の連結板１２における第二のリング構成部材５２を支持している部分Ｐ４近傍の仮想中心線ｃ４とが正面視において交差するように設定されている。なお、各仮想中心線ｃ３、ｃ４は、第二の連結板１２における支持部分Ｐ３、Ｐ４の厚み方向中央部分を示している。本実施形態においては、各仮想中心線ｃ３、ｃ４の交差する角度βは約５度に設定されている。
【００３２】
第二の連結板１２は、図７、図１４及び図１５において、二点鎖線で示されている部分が折曲変形されており（以下、当該部分を「折曲部分」という）、全体としてねじれ形状をなしている。この折曲部分は、内縁部１２１から外側縁１２３側に斜め方向に延びる第一の折曲部分ｆ３とこの第一の折曲部分ｆ３と連続して外側縁１２３の内側に外側縁１１３と略平行に延びて一方の側端縁にまで至る第二の折曲部分ｆ４とを主体に構成されている。換言すれば、第一の連結板１２は、第一の折曲部分ｆ３と第二の折曲部分ｆ４を境界にして、一方側の上面が向く方向と他方側の上面の向く方向とを異ならせている。
【００３３】
しかして、本実施形態では、図２に示すように、各綴じリング３、５が開いた状態である開位置において、他の綴じリング５における第一のリング構成部材５１の先端部５１ｓと第二のリング構成部材５２の先端部５２ｓとの離間距離ｗ２が、一の綴じリング３における第一のリング構成部材３１の先端部３１ｓと第二のリング構成部材３２の先端部３２ｓとの離間距離ｗ１よりも短く設定されている。
【００３４】
各綴じリング３、５は、一の綴じリング３付近に設けられた弾性付勢部Ｄにより開方向に付勢されているとともにその付勢力に抗して閉じられた状態で第一、第二のリング構成部材３１、５１、３２、５２の先端に設けられた係合部３１１、５１１、３２１、５２１同士が係合して閉位置に保持されるものである。詳述すれば、各綴じリング３、５は、第一の連結板１１の端部に基端部３１２、５１２をかしめ付けた第一のリング構成部材３１、５１と、第二の連結板１２の端部に基端部３２２、５２２をかしめ付けた第二のリング構成部材３２、５２とを具備してなる。なお、各綴じリング３、５における第一のリング構成部材３１、５１の基端部３１２、５１２は、第一の連結板１１に支持される部分Ｐ１、Ｐ２の上面１１ａ、１１ｂに対してそれぞれ略同じ角度で取り付けられているとともに、各綴じリング３、５における第二のリング構成部材３２、５２の基端部３２２、５２２は、第二の連結板１２に支持される部分Ｐ３、Ｐ４の上面１２ａ、１２ｂに対してそれぞれ略同じ角度で取り付けられている。より具体的に言えば、図１０に示すように、各綴じリング３、５における第一のリング構成部材３１、５１の基端部３１２、５１２近傍の軸線３１ｊ、５１ｊが、第一の連結板１１に支持される部分Ｐ１、Ｐ２の上面１１ａ、１１ｂに対してそれぞれ略垂直すなわち略９０度の角度になるように設定され、前記第一のリング構成部材３１、５１は取り付けられているとともに、図１３に示すように、各綴じリング３、５における第二のリング構成部材３２、５２の基端部３２２、５２２近傍の軸線３２ｊ、５２ｊが、第二の連結板１２に支持される部分Ｐ３、Ｐ４の上面１２ａ、１２ｂに対してそれぞれ略垂直すなわち略９０度の角度になるように設定され、前記第二のリング構成部材３２、５２は取り付けられている。
【００３５】
綴じリング３、５は、いわゆるＤリングと称される構成をなすものである。第一のリング構成部材３１、５１は全体が湾曲した形状をなしており、第二のリング構成部材３２、５２は略直線状に形成された直線部３２３、５２３と湾曲形状に形成された湾曲部３２４、５２４とを備えた形状をなしている。
【００３６】
第一のリング構成部材３１、５１の先端部には外向きの係合部３１１、５１１が設けられているとともに第二のリング構成部材３２、５２の先端部には内向きの係合部３２１、５２１が設けられ、第一のリング構成部材３１、５１の先端部と第二のリング構成部材３２、５２の先端部とを突き合わせることにより外向きの係合部３１１、５１１と内向きの係合部３２１、５２１とが係合して各綴じリング３、５が閉位置に保持されるようになっている。
【００３７】
具体的に、外向きの係合部３１１、５１１は、外側すなわち綴じ具Ｇの長手方向における外方側に向けて突出する突起３１１ａ、５１１ａと突起３１１ａ、５１１ａに連続して設けられ外側に開放された凹部３１１ｂ、５１１ｂとを備えたものである。内向きの係合部３２１、５２１は、内側すなわち綴じ具Ｇの長手方向における内方側に突出する突起３２１ａ、５２１ａと突起３２１ａ、５２１ａに連続して設けられ内側に開放された凹部３２１ｂ、５２１ｂとを備えたものである。
【００３８】
各第一、第二のリング構成部材３１、５１、３２、５２の先端同士が係合する状態においては、外向きの係合部３１１、５１１の突起３１１ａ、５１１ａが内向きの係合部３２１、５２１の凹部３２１ｂ、５２１ｂに嵌るとともに、内向きの係合部３２１、５２１の突起３２１ａ、５２１ａが外向きの係合部３１１、５１１の凹部３１１ｂ、５１１ｂに嵌るようになっており、両突起３１１ａ、５１１ａ、３２１ａ、５２１ａの突き合わせ側端部には係合時に第一のリング構成部材３１、５１と第二のリング構成部材３２、５２とを離間させるための案内傾斜面３１１ｃ、５１１ｃ、３２１ｃ、５２１ｃが形成されている。
【００３９】
一の綴じリング３における第一のリング構成部材３１に設けられた外向きの係合部３１１と他の綴じリング５における第一のリング構成部材５１に設けられた外向きの係合部５１１とは互いに背反する方向を向いている。また、一の綴じリング３における第二のリング構成部材３２に設けられた内向きの係合部３２１と他の綴じリング５における第二のリング構成部材５２に設けられた内向きの係合部５２１とは互いに対面する方向を向いている。そのため、一の綴じリング３における第一のリング構成部材３１と、他の綴じリング５における第一のリング構成部材５１をそれぞれ相寄る方向に移動させることにより、係合部３１１、５１１、３２１、５２１同士の係合が解除されるようになっている。
【００４０】
以上のようにしてなる綴じ具Ｇを、ファイルＦの裏表紙Ｈ３における綴じ元側端縁部分に取付けている。すなわち、２つの綴じリング３、５の内、一の綴じリング３がファイルの使用者からみて手前側に位置するようにしてファイルＦに取付けられており、その取付けはカバー１３に設けた取付孔１３１に挿通されたリベット１３６により行われている。この取付け状態では、直線部３２３、５２３を有した第二のリング構成部材３２、５２が第一のリング構成部材３１、５１よりも右側に位置するようになっている。
【００４１】
このような構成のものであれば、第一、第二のリング構成部材３１、５１、３２、５２の係合部３１１、５１１、３２１、５２１同士の係合が解除されている状態では、弾性付勢手段すなわちカバー１３の弾性付勢部Ｄの働きにより第一、第二の連結板１１、１２が上方に弾性付勢されているため、これら両連結板１１、１２は上方突出姿勢Ｊにまで反転することになり、綴じリング３、５は、図２〜図４及び図１６に示すように開いた状態である開位置に維持される。この開いた状態から、図１６に示すように一の綴じリング３を構成している第一、第二のリング構成部材３１、３２を相寄る方向に操作すると、第一、第二の連結板１１、１２により相互に連結されている両綴じリング３、５が弾性付勢部Ｄの付勢力に抗して閉じ方向に作動し、最終的に図１７に示すように各綴じリング３、５の第一のリング構成部材３１、５１の外向きの係合部３１１、５１１と第二のリング構成部材３２、５２の内向きの係合部３２１、５２１とが係合する。そのため、両綴じリング３、５は、係合後においては第一、第二のリング構成部材３１、３２から手を離しても閉状態に維持される。
【００４２】
第一のリング構成部材３１、５１の外向きの係合部３１１、５１１と第二のリング構成部材３２、５２の内向きの係合部３２１、５２１とが係合する際の作動を詳述すれば、次の通りである。
【００４３】
各綴じリング３、５が開位置にある状態から、一の綴じリング３を構成している第一、第二のリング構成部材３１、３２に対し、手指によって閉方向の操作力を与えると、第一、第二の連結板１１、１２により相互に連結されている両綴じリング３、５が弾性付勢部Ｄの付勢力に抗して閉じ方向に作動し、他の綴じリング５の第一、第二のリング構成部材５１、５２の先端部５１ｓ、５２ｓ同士が、一の綴じリング３の第一、第二のリング構成部材３１、３２の先端部３１ｓ、３２ｓ同士が当接するよりも先に当接する。すなわち、手指によって閉方向の操作力が直接的に与えられる一の綴じリング３から離れて位置している綴じリングである他の綴じリング５の第一、第二のリング構成部材５１、５２の先端部５１ｓ、５２ｓ同士は、一の綴じリング３の第一、第二のリング構成部材３１、３２の先端部３１ｓ、３２ｓ同士が当接して押し合う前に先んじて、閉じ方向に押し合いを行うことになる。
【００４４】
次いで、第一のリング構成部材３１、５１の先端部と第二のリング構成部材３２、５２の先端部とがそれぞれ突き合った段階では、外向きの係合部３１１、５１１の案内傾斜面３１１ｃ、５１１ｃと内向きの係合部３２１、５２１の案内傾斜面３２１ｃ、５２１ｃとが当接する。その状態からさらに両リング構成部材３１、５１、３２、５２に閉じ方向の操作力が付与されると、案内傾斜面３１１ｃ、５１１ｃ、３２１ｃ、５２１ｃの案内作用により外向きの係合部３１１、５１１を有している第一のリング構成部材３１、５１が一時的に内側に弾性変位するとともに内向きの係合部３２１、５２１を有している第二のリング構成部材３２、５２が一時的に外側に弾性変位することになる。そして、外向きの係合部３１１、５１１及び内向きの係合部３２１、５２１の突起３１１ａ、５１１ａ、３２１ａ、５２１ａ同士が相互に乗り越えた段階で、外向きの係合部３１１、５１１の突起３１１ａ、５１１ａが内向きの係合部３２１、５２１の凹部３２１ｂ、５２１ｂに嵌り込むとともに、内向きの係合部３２１、５２１の突起３２１ａ、５２１ａが外向きの係合部３１１、５１１の凹部３１１ｂ、５１１ｂに嵌り込み、係合が完了する。その結果、一の綴じリング３から手を離しても両綴じリング３、５は閉状態に保持される。
【００４５】
以上の係合動作は、第一、第二のリング構成部材３１、５１、３２、５２を支持している第一、第二の連結板１１、１２の厚み方向の一時的なたわみを利用して行われる。すなわち、第一のリング構成部材３１、５１に設けられた外向きの係合部３１１、５１１の案内傾斜面３１１ｃ、５１１ｃと、第二のリング構成部材３２、５２に設けられた内向きの係合部３２１、５２１の案内傾斜面３２１ｃ、５２１ｃとを当接させた状態で一の綴じリング３における両リング構成部材３１、３２をさらに閉じ方向に操作した場合、案内傾斜面３１１ｃ、５１１ｃ、３２１ｃ、５２１ｃの案内作用により二つの第一のリング構成部材３１、５１は相寄る方向に倒れるとともに二つの第二のリング構成部材３２、５２は相離れる方向に倒れる動作が惹き起こされる。二つの第一のリング構成部材３１、５１が相寄る方向へ傾倒する動作は、これら両第一のリング構成部材３１、５１を支持している第一の連結板１１が下方にたわむことによって、すなわち第一の連結板１１の長手方向中央部が下方に変位する方向にたわむことによって惹起される。二つの第二のリング構成部材３２、５２が相離れる方向へ傾倒する動作は、これら両第二のリング構成部材３２、５２を支持している第二の連結板１２が上方にたわむことによって、すなわち第二の連結板１２の長手方向中央部が上方に変位する方向にたわむことによって惹起される。
【００４６】
そして、本実施形態における綴じ具Ｇでは、各連結板１１、１２をねじり変形させているので、以上の動作がより軽快かつ円滑に行われる。すなわち、両連結板１１、１２をねじり変形させて、各連結板１１、１２における他の綴じリング５の第一、第二のリング構成部材５１、５２を支持している部分Ｐ２、Ｐ４近傍の上面１１ｂ、１２ｂが、各連結板１１、１２における一の綴じリング３の第一、第二のリング構成部材５１、５２を支持している部分Ｐ１、Ｐ３近傍の上面１１ａ、１２ａよりも内側を向くように形成されているので、他の綴じリング５における第一のリング構成部材５１の先端部５１ｓと第二のリング構成部材５２の先端部５２ｓとの離間距離ｗ２が、一の綴じリング３における第一のリング構成部材３１の先端部３１ｓと第二のリング構成部材３２の先端部３２ｓとの離間距離ｗ１よりも短く設定することができ、従来のものと比べて、他の綴じリング５におけるリング構成部材５１、５２同士を係合させる際により大きな力を与えることになる。そのため、一の綴じリング３を閉じる方向に操作することによって他方の綴じリング５のリング構成部材３２、５２同士をより確実に係合させることができる。したがって、前述のように他の綴じリング５側における第一、第二のリング構成部材３２、５２の係合部３２１、５２１同士の係合を従来のものよりも大きな力で行うことができ、従来の不具合をより確実に抑制又は防止することができる。換言すれば、本実施形態の構成によれば、使用者の手前に位置する一の綴じリング３を摘んで閉じ方向に操作するだけで、他の綴じリング５に対して一の綴じリング３に与えた操作力をより確実に伝達することができ、他の綴じリング５を従動させて当該他の綴じリング５におけるリング構成部材３２、５２の係合部３２１、５２１同士を円滑、確実に係合させることができる。
【００４７】
以上説明したように、本実施形態に係る綴じ具Ｇは、第一、第二の連結板１１、１２の両方がねじり変形されたものであり、開位置において、他の綴じリング５における第一のリング構成部材５１の先端部５１ｓと第二のリング構成部材５２の先端部５２ｓとの離間距離ｗ２が、一の綴じリング３における第一のリング構成部材３１の先端部３１ｓと第二のリング構成部材３２の先端部３２ｓとの離間距離ｗ１よりも短く設定されているため、一の綴じリング３だけを手指によってつまむように閉じ操作した場合でも、他の綴じリング５の係合部５１１、５２１同士が係合するのに必要な移動距離を確保することができるとともに、他の綴じリング５の係合部５１１、５２１同士の係合に必要な操作力を確保することができ、所期の目的、すなわち一の綴じリング３だけを操作しても他の綴じリング５の係合部５１１、５２１同士をも係合させることができる綴じ具Ｇを提供するという目的を達成することができる。
【００４８】
第一、第二の連結板１１、１２が金属製のものであるので、塑性変形を比較的容易に行うことができるとともに、コンパクトな大きさあっても弾性付勢力や強度にも優れたものとなっている。
【００４９】
第一、第二の連結板１１、１２がそれぞれねじり変形されたものであるため、一方のみを変形させるものと比較して、少ない変形で所期の目的を実現することができる。
【００５０】
第一、第二の連結板１１、１２における他の綴じリング５の第一、第二のリング構成部材５１、５２を支持している部分Ｐ２、Ｐ４近傍の上面１１ｂ、１２ｂが、第一、第二の連結板１１、１２における一の綴じリング３の第一、第二のリング構成部材３１、３２を支持している部分Ｐ１、Ｐ３近傍の上面１１ａ、１２ａよりも内側に向くように形成されているので、開位置において、他の綴じリング５における第一のリング構成部材５１の先端部５１ｓと第二のリング構成部材５２の先端部５２ｓとの離間距離ｗ２が、一の綴じリング３における第一のリング構成部材３１の先端部３１ｓと第二のリング構成部材３２の先端部３２ｓとの離間距離ｗ１よりも短く設定される構造を比較的容易に実現することができる。すなわち、各綴じリング３、５における第一のリング構成部材３１、５１の基端部３１２、５１２は、第一の連結板１１に支持される部分Ｐ１、Ｐ２の上面１１ａ、１１ｂに対してそれぞれ略同じ角度で取り付けることができるとともに、各綴じリング３、５における第二のリング構成部材３２、５２の基端部３２２、５２２は、第二の連結板１２に支持される部分Ｐ３、Ｐ４の上面１２ａ、１２ｂに対してそれぞれ略同じ角度で取り付けることができるため、各綴じリング３、５の第一、第二の連結板１１、１２への取り付けを、極めて微妙な角度調整を要すること無く、統一的・共通的に行うことができ、製品の安定に寄与するものとなる。しかも、本実施形態では、その角度を略垂直、すなわち、略９０度にしているので、各綴じリング３、５の各連結板１１、１２への取り付けを好適に行うことができるだけでなく、取り付けの精度にも優れたものとなっている。
【００５１】
また、本実施形態に係るファイルＦは、前述した綴じ具Ｇを取り付けてなるものであり、片手操作によって綴じ具Ｇの閉じ操作を確実に行うことができる利用者にとって使い勝手の良好なファイルＦを実現することができる。
【００５２】
なお、本発明は、以上に詳述した実施形態に限られるものではない。
【００５３】
本実施形態では、第一、第二の連結板の両方がねじり変形されたものについて説明したが、これに限定されるものではなく、第一、第二の連結板の一方のみがねじり変形されたものであってもよい。
【００５４】
弾性付勢手段は、本実施形態のものに限定されるものではなく、例えば、カバーの両側縁部間にバネを架設し、そのバネの作用端を連結板の下面に弾性的に圧接させたものであってもよい。
【００５５】
本実施形態では、一の綴じリング及び他の綴じリングがそれぞれ１つである場合の綴じ具について説明したが、一の綴じリング及び他の綴じリングはそれぞれ複数あってもよい。
【００５６】
綴じリングの形状は本実施形態に限定されず、閉状態においてループをなすものであれば良い。例えば、丸型（Ｏ型）リングやオーバルリング等種々のものが考えられる。
【００５７】
各リング構成部材の係合部の形状や向きも適宜設定することができるものであり、本実施形態に示す態様に限定されるものではない。
【００５８】
ファイルの使用方向は明確に定められたものでなくても良く、また、綴じリングの取り付け方向も限定されるものではない。なお、本実施形態で示すように、使用方向が定められた表紙に、一の綴じリングが操作者の手前に位置するようにして綴じ具を取り付けたものであると、閉じ操作をするべき一の綴じリングに対して使用者を自然に誘導することができる。なお、閉じ操作をするべき一の綴じリングを使用者に認識させるため、綴じ具や表紙の所定部位に標識を設けることも考えられる。標識には、印刷による案内やシール貼り付け等による案内等、種々のものが考えられる。
【００５９】
その他、各部の具体的構成についても上記実施形態に限られるものではなく、本発明の趣旨を逸脱しない範囲で種々変形が可能である。
【符号の説明】
【００６０】
１…ベース
３…綴じリング（一の綴じリング）
５…綴じリング（他の綴じリング）
１１…連結板（第一の連結板）
１１ａ…上面
１１ｂ…上面
１２…連結板（第二の連結板）
１２ａ…上面
１２ｂ…上面
１３…カバー
３１…リング構成部材（第一のリング構成部材）
３１ｓ…先端部
３２…リング構成部材（第二のリング構成部材）
３２ｓ…先端部
５１…リング構成部材（第一のリング構成部材）
５１ｓ…先端部
５２…リング構成部材（第二のリング構成部材）
５２ｓ…先端部
Ｄ…弾性付勢手段（弾性付勢部）
Ｆ…ファイル
Ｇ…綴じ具
Ｈ…表紙
Ｐ１…（支持）部分
Ｐ２…（支持）部分
Ｐ３…（支持）部分
Ｐ４…（支持）部分
ｗ１…離間距離
ｗ２…離間距離
【図１】
0005810256.tif 000002
【図２】
0005810256.tif 000003
【図３】
0005810256.tif 000004
【図４】
0005810256.tif 000005
【図５】
0005810256.tif 000006
【図６】
0005810256.tif 000007
【図７】
0005810256.tif 000008
【図８】
0005810256.tif 000009
【図９】
0005810256.tif 000010
【図１０】
0005810256.tif 000011
【図１１】
0005810256.tif 000012
【図１２】
0005810256.tif 000013
【図１３】
0005810256.tif 000014
【図１４】
0005810256.tif 000015
【図１５】
0005810256.tif 000016
【図１６】
0005810256.tif 000017
【図１７】
0005810256.tif 000018